(57)【特許請求の範囲】
【請求項１】
撮像素子を用いて撮影する撮像回路部と、この撮像回路部が撮影した映像を処理する映像回路部と、この映像回路部が処理した映像を伝送する伝送回路部と、人体の存在を検知する人体検知センサと、インターホン親機を呼び出すための操作入力部と、撮像回路部と映像回路部と伝送回路部と人体検知センサとに給電する給電判断部と、を備えるカメラ付きドアホン子器において、給電判断部は、待機状態において人体検知センサに給電しており、人体検知センサが人体の接近を検知すれば撮像回路部と映像回路部とに給電を開始し、さらに操作入力部が操作されれば加えて伝送回路部に給電を開始するものであり、
前記人体検知センサとして、所定の検知エリアを有する第一の人体検知センサと、第一の人体検知センサよりも狭い検知エリアを有する第二の人体検知センサと、を備え、しかも、前記第二の人体検知センサの検知エリアが前記第一の人体検知センサの検知エリアに略含まれるように設定されており、
前記給電判断部は、前記第一の人体検知センサが人体を検知したときに前記撮像回路部への給電を開始したのちに、前記第二の人体検知センサが人体を検知したときに更に前記映像回路部への給電を開始するものであることを特徴とするカメラ付きドアホン子器。
【請求項２】
前記第一及び第二の人体検知センサがそれぞれ人体までの距離を検知できるものであることを特徴とする請求項１記載のカメラ付きドアホン子器。
【請求項３】
前記第一及び第二の人体検知センサがそれぞれ人体までの距離を測るために電波を利用するものであることを特徴とする請求項２記載のカメラ付きドアホン子器。
【請求項４】
前記第一及び第二の人体検知センサがそれぞれ人体までの距離を検知できる距離画像センサであることを特徴とする請求項２記載のカメラ付きドアホン子器。
【発明の詳細な説明】
【技術分野】
【０００１】
本願発明は、カメラ付きドアホン子器の電源供給機能に関するものである。
【背景技術】
【０００２】
従来から、特許第３２２９７９９号公報（特許文献１）に示されるように、テレビインターホンシステムは知られている。このテレビインターホンシステムは図９に示すように、カメラ付きドアホン子器２１に人体検知センサ２３を設けており、この人体検知センサ２３の人体検知時には、呼出ボタン２２を押圧する前にインターホン親機２からカメラ付きドアホン子器２１に給電され、ドアホン子器２１が動作する。これにより、呼出ボタン２２を押圧してからカメラ付きドアホン子器２１に給電し始める場合に比べれば、カメラ付きドアホン子器２１内部の映像回路部等が起動するまでに時間がかからないので来客の撮影及びインターホン親機２への画像転送も遅れず室内のインターホン親機２の傍の住戸人にとっては来客対応が即時に行える。
【特許文献１】特許第３２２９７９９号公報
【発明の開示】
【発明が解決しようとする課題】
【０００３】
しかしながら、特許第３２２９７９９号公報に示される上記従来例のテレビインターホンシステムにあっては、人体検知センサ２３が人体を検知した場合、カメラ付きドアホン子器２１全体に対して給電を行っているので、例えば通行人体が通り過ぎた場合でも反応してしまい、待機時の消費電力が大きいという問題がある。
【０００４】
本願発明は上記背景技術に鑑みて発明されたものであり、その課題は、映像回路部等の起動の遅延を単純に回避するのみならず、待機時消費電力を出来るだけ低減することもできるカメラ付きドアホン子器を提供することにある。
【課題を解決するための手段】
【０００５】
上記課題を解決するために、本願請求項１記載の発明では、撮像素子を用いて撮影する撮像回路部と、この撮像回路部が撮影した映像を処理する映像回路部と、この映像回路部が処理した映像を伝送する伝送回路部と、人体の存在を検知する人体検知センサと、インターホン親機を呼び出すための操作入力部と、撮像回路部と映像回路部と伝送回路部と人体検知センサとに給電する給電判断部と、を備えるカメラ付きドアホン子器において、給電判断部は、待機状態において人体検知センサに給電しており、人体検知センサが人体の接近を検知すれば撮像回路部と映像回路部とに給電を開始し、さらに操作入力部が操作されれば加えて伝送回路部にも給電を開始するものである。そして、人体検知センサとして、所定の検知エリアを有する第一の人体検知センサと、第一の人体検知センサよりも狭い検知エリアを有する第二の人体検知センサと、を備え、しかも、第二の人体検知センサの検知エリアが第一の人体検知センサの検知エリアに略含まれるように設定されており、給電判断部は、第一の人体検知センサが人体を検知したときに撮像回路部への給電を開始したのちに、第二の人体検知センサが人体を検知したときに更に映像回路部への給電を開始するものであることを特徴とする。
【０００６】
又、本願請求項２記載の発明では、上記請求項１記載のカメラ付きドアホン子器において、第一及び第二の人体検知センサがそれぞれ人体までの距離を検知できるものであることを特徴としている。
【０００７】
又、本願請求項３記載の発明では、上記請求項２記載のカメラ付きドアホン子器において、第一及び第二の人体検知センサがそれぞれ人体までの距離を測るために電波を利用するものであることを特徴としている。
又、本願請求項４記載の発明では、上記請求項２記載のカメラ付きドアホン子器において、第一及び第二の人体検知センサがそれぞれ人体までの距離を検知できる距離画像センサであることを特徴としている。
【発明の効果】
【０００８】
本願請求項１記載の発明のカメラ付きドアホン子器においては、人体を検知することで撮像回路部と映像回路部のみに給電を行い、伝送回路部の給電については操作入力部が押された後で行うため、撮像回路部及び映像回路部の起動の遅延を回避することができるとともに、待機時消費電力もできるだけ低減することができる。
【０００９】
又、検知エリアの広い人体検知センサが人体を検知した場合に撮像回路部のみに給電し、検知エリアの狭い人体検知センサが人体を検知した場合に映像回路部に給電を行うようにしているため、より待機時消費電力の低減が可能となる。
【００１０】
本願請求項３記載の発明のカメラ付きドアホン子器においては、人体までの距離を測るために電波を利用しているので、人体を広い空間範囲で捉えることが可能となって人体検知センサの死角が狭まり、人体を検知する精度が向上する。
【発明を実施するための最良の形態】
【００１１】
以下、本願発明を添付図面に示す実施形態に基づいて説明する。
【００１２】
図１、２は、本願第一の実施形態であるカメラ付きドアホン子器１を示している。
【００１３】
このカメラ付きドアホン子器１は、インターホン親機２に接続され、撮像回路部３で撮影された映像をインターホン親機２に伝送するようになっており、図１に示すように、撮像素子を用いて撮影する撮像回路部３と、この撮像回路部３が撮影した映像を処理する映像回路部４と、この映像回路部４が処理した映像を伝送する伝送回路部５と、人体の存在を検知する人体検知センサ６と、インターホン親機２を呼び出すための操作入力部７と、撮像回路部３と映像回路部４と伝送回路部５と人体検知センサ６と操作入力部７とに給電する給電判断部８と、から構成される。ここで、操作入力部７をタッチパネル付き液晶画面としており、これ故に操作入力部７にも電源供給が要る。ただし、操作入力部７を電源供給不要なる旧来の操作ボタンとして構成すれば、操作入力部７には電源供給は不要となり、さらに低消費電力化を図れる。
【００１４】
給電判断部８は、給電用途の電源ドライバICとこれを制御するバイポーラトランジスタ回路などを具備するマイクロコンピュータユニットとを備えてなり、撮像回路部３と映像回路部４と伝送回路部５と人体検知センサ６と操作入力部７とについて選択的に給電する機能と、人体検知センサ６の人体検知結果と操作入力部７の操作入力有無検知結果とを検知する機能とを備える。
【００１５】
この給電判断部８は、カメラ付きドアホン子器１内部の動作に応じて必要な受電量をインターホン親機２から多段階的に給電されるものであり、このため、インターホン親機２からは、常時、最低でも、給電判断部８の動作に必要な電源電圧又は電源電流を供給され続けている。
【００１６】
給電判断部８は、待機状態において人体検知センサ６と操作入力部７とに給電しており、人体検知センサ６が検知すれば撮像回路部３と映像回路部４とに給電を開始し、操作入力部７が押下されれば伝送回路部５に給電を開始する。
【００１７】
この実施形態の動作について、図２に示すフローチャートに基づいて説明する。
【００１８】
まず、給電判断部８は人体検知センサ６と操作入力部７とにあらかじめ給電しており、常に稼動させている。そして、人体検知センサ６が検知したのならば（Ｓ１）、給電判断部８が撮像回路部３と映像回路部４とに給電を開始する（Ｓ２）。そして、一定の時間、操作入力部７が押されるか否かをチェックする。操作入力部７が押されなければ、撮像回路部３と映像回路部４とに対する給電は停止し、（Ｓ１）のステップに戻る（Ｓ３）。操作入力部７が押されたのならば、給電判断部８は伝送回路部５に給電し、伝送回路部５がインターホン親機２に対して画像伝送を開始する（Ｓ４）。
【００１９】
したがって、人体を検知することで撮像回路部３と映像回路部４のみに給電を行い、伝送回路部５の給電については操作入力部７が押された後で行うため、撮像回路部３及び映像回路部４の起動の遅延を回避することができるとともに、待機時消費電力もできるだけ低減することができる。
【００２０】
図３、４は、本願第二の実施形態であるカメラ付きドアホン子器１を示している。
【００２１】
なお、ここでは、上記第一の実施形態と相違する事項についてのみ説明し、その他の事項については、上記第一の実施形態と同様であるのでその説明を省略する。
【００２２】
このカメラ付きドアホン子器１は、図３に示すように、検知エリアの広い人体検知センサ６ａと、検知エリアの狭い人体検知センサ６ｂと、を設けている。
【００２３】
給電判断部８は、待機状態において感度の異なる２つの人体検知センサ６と、操作入力部７と、に給電しており、検知エリアの広い人体検知センサ６ａが検知すれば撮像回路部３への給電を開始し、検知エリアの狭い人体検知センサ６ｂが検知すれば映像回路部４への給電を開始し、操作入力部７が押下されたならば伝送回路部５に給電を開始する。
【００２４】
この実施形態の動作について、図４に示すフローチャートに基づいて説明する。
【００２５】
まず、給電判断部８は人体検知センサ６ａと人体検知センサ６ｂと操作入力部７とにあらかじめ給電しており、常に稼動させている。人体検知センサ６ａが人体を検知したのならば（Ｓ１）、給電判断部８が撮像回路部３に給電を開始する（Ｓ２）。そして、一定の時間、人体検知センサ６ｂが人体を検知するか否かをチェックする。人体検知センサ６ｂが人体を検知しなければ、撮像回路部３に対する給電は停止し、（Ｓ１）のステップに戻る（Ｓ３）。そして、人体検知センサ６ｂが検知したのならば、給電判断部８が映像回路部４に給電を開始する（Ｓ４）。そして、一定の時間、操作入力部７が押されるか否かをチェックする。操作入力部７が押されなければ、撮像回路部３と映像回路部４とに対する給電は停止し、（Ｓ１）のステップに戻る（Ｓ５）。操作入力部７が押されたのならば、給電判断部８は伝送回路部５に給電し、伝送回路部５がインターホン親機２に対して画像伝送を開始する（Ｓ６）。
【００２６】
したがって、検知エリアの広い人体検知センサ６ａが検知した場合に撮像回路部３のみに給電し、検知エリアの狭い人体検知センサ６ｂが検知した場合に映像回路部４に給電を行うようにしているため、より待機時消費電力の低減が可能となる。
【００２７】
図５、６は、本願第三の実施形態であるカメラ付きドアホン子器１を示している。
【００２８】
なお、ここでは、上記第一の実施形態と相違する事項についてのみ説明し、その他の事項については、上記第一の実施形態と同様であるのでその説明を省略する。
【００２９】
このカメラ付きドアホン子器１は、図５に示すように、距離を検知することができる人体検知センサ６（距離センサ９）を設けている。この距離センサ９は、複数の所定の距離（図５では、Ｒ１とＲ２）をそれぞれ検知することができる。そして、人体までの距離を測るために電波を利用している。
【００３０】
この実施形態の動作について、図６に示すフローチャートに基づいて説明する。
【００３１】
まず、給電判断部８は距離センサ９と操作入力部７とにあらかじめ給電しており、常に稼動させている。距離センサ９がＲ１の距離で人体を検知したのならば（Ｓ１）、給電判断部８が撮像回路部３に給電を開始する（Ｓ２）。そして、一定の時間、距離センサ９がＲ２の距離で人体を検知するか否かをチェックする。距離センサ９がＲ２の距離で人体を検知しなければ、撮像回路部３に対する給電は停止し、（Ｓ１）のステップに戻る（Ｓ３）。そして距離センサ９がＲ２の距離で検知したのならば、給電判断部８が映像回路部４に給電を開始する（Ｓ４）。そして、一定の時間、操作入力部７が押されるか否かをチェックする。操作入力部７が押されなければ、撮像回路部３と映像回路部４とに対する給電は停止し、（Ｓ１）のステップに戻る（Ｓ５）。操作入力部７が押されたのならば、給電判断部８は伝送回路部５に給電し、伝送回路部５がインターホン親機２に対して画像伝送を開始する（Ｓ６）。
【００３２】
なお、距離センサ９は、人体を広い空間範囲で捉えることが可能なセンサであればよく、  電波を利用する例えば電波センサや距離画像センサを用いれば実現可能である。
【００３３】
したがって、距離センサ９がＲ１の距離で検知した場合に撮像回路部３のみに給電し、距離センサ９がＲ２の距離で検知した場合に映像回路部４に給電を行うようにしているため、より待機時消費電力の低減が可能となる。又、人体までの距離を測るために電波を利用しているので、人体を広い空間範囲で捉えることが可能となって人体検知センサの死角が狭まり、人体を検知する精度が向上する。
【００３４】
図７、８は、本願第四の実施形態であるカメラ付きドアホン子器１を示している。
【００３５】
なお、ここでは、上記第一の実施形態と相違する事項についてのみ説明し、その他の事項については、上記第一の実施形態と同様であるのでその説明を省略する。
【００３６】
このカメラ付きドアホン子器１は、図7に示すように、LED照明１０と、LED照明１０が発した光の反射光を検知する光センサ１１と、から構成される人体検知センサ６を設けている。給電判断部８は、待機状態においてこのLED照明１０と、光センサ１１と、に給電をしている。
【００３７】
この実施形態の動作について、図８に示すフローチャートに基づいて説明する。
【００３８】
まず、給電判断部８はLED照明１０と光センサ１１とにあらかじめ給電しており、常に稼動させている。そして、LED照明１０が発した光の反射光を光センサ１１が検知したのならば（Ｓ１）、給電判断部８が撮像回路部３と映像回路部４とに給電を開始する（Ｓ２）。そして、一定の時間、操作入力部７が押されるか否かをチェックする。操作入力部７が押されなければ、撮像回路部３と映像回路部４とに対する給電は停止し、（Ｓ１）のステップに戻る（Ｓ３）。操作入力部７が押されたのならば、給電判断部８は伝送回路部５に給電し、伝送回路部５がインターホン親機２に対して画像伝送を開始する（Ｓ４）。
【００３９】
したがって、人体を検知することで撮像回路部３と映像回路部４のみに給電を行い、伝送回路部５の給電については操作入力部７が押された後で行うため、撮像回路部３及び映像回路部４の起動の遅延を回避することができるとともに、待機時消費電力もできるだけ低減することができる。
【図面の簡単な説明】
【００４０】
【図１】本願発明の第一の実施形態であるカメラ付きドアホン子器を示すブロック図。
【図２】同カメラ付きドアホン子器の動作を示すフローチャート。
【図３】本願発明の第二の実施形態であるカメラ付きドアホン子器を示すブロック図。
【図４】同カメラ付きドアホン子器の動作を示すフローチャート。
【図５】本願発明の第三の実施形態であるカメラ付きドアホン子器を示すブロック図。
【図６】同カメラ付きドアホン子器の動作を示すフローチャート。
【図７】本願発明の第四の実施形態であるカメラ付きドアホン子器を示すブロック図。
【図８】同カメラ付きドアホン子器の動作を示すフローチャート。
【図９】従来例であるテレビインターホンシステムを示す概略構成図。
【符号の説明】
【００４１】
１  カメラ付きドアホン子器
２  インターホン親機
３  撮像回路部
４  映像回路部
５  伝送回路部
６  人体検知センサ
７  操作入力部
８  給電判断部
９  距離センサ
１０  LED照明
１１  光センサ
【図１】
0004736887.tif 000002
【図２】
0004736887.tif 000003
【図３】
0004736887.tif 000004
【図４】
0004736887.tif 000005
【図５】
0004736887.tif 000006
【図６】
0004736887.tif 000007
【図７】
0004736887.tif 000008
【図８】
0004736887.tif 000009
【図９】
0004736887.tif 000010